(57)【要約】【課題】容積率の換算の対象とならず、駐車場やビルなどの屋上等の空いているスペースを有効に活用するのに最適な建築物を提供する。【解決手段】床部１０の周りに立設された複数の側壁２０とにより形成され、上部の開口部３１に展開あるいは折畳み可能な傘型の覆い体５０を配置し、この覆い体５０の展開あるいは折畳みにより、開口３１が閉塞あるいは開放されるようにする。覆い体５０が展開された状態で、周縁部の下方には、覆い体を伝わって流れてきた雨水が流れ込む樋が設けられる。樋４０の溝内には、周縁部の垂下部が入り込む。【選択図】        図１
2004316188.tif 000002
【特許請求の範囲】
【請求項１】
床部と、この床部の周りに立設された複数の側壁とにより形成され、上部が開口された建築物であって、前記開口に展開あるいは折畳み可能な傘型の覆い体を配置し、この覆い体の展開あるいは折畳みにより、前記開口が閉塞あるいは開放されるようにしたことを特徴とする建築物。
【請求項２】
前記傘型の覆い体が展開された状態で、その周縁部の下方には、前記覆い体を伝わって流れてきた雨水が流れ込む樋が設けられていることを特徴とする請求項１に記載の建築物。
【請求項３】
前記傘型の覆い体の前記周縁部には、垂下部が設けられており、この垂下部は、前記傘型の覆い体が展開された状態で、前記樋の溝内に入り込むことを特徴とする請求項２に記載の建築物。
【発明の詳細な説明】
【０００１】
【発明の属する技術分野】
本発明は、建築物に係り、建築基準法における容積率の換算の対象とならない建築物に関するものである。
【０００２】
【従来の技術】
近年、商業的なスペースとして、空いている駐車場やビルの屋上の空きスペース等の利用価値が高まりつつあり、この要望を満たす建築物が望まれている。
しかしながら、例えば、ビルの屋上等の空きスペースにパーティ会場やレストラン等の建築物を建設しようとすると、一般的に、そのような建築物は、建築基準法における容積率を算出する際の床面積の換算の対象となり、制約を受ける。通常、ビル等の建物は、容積率いっぱいに建築され、容積率に余裕がないのが現状であるため、ビルの屋上等の空きスペースに、そのような建築物を建設することは不可能であった。そこで、従来は、建築基準法における容積率の換算の基準外（１０ｍ２以下の床面積）となる小規模な建築物を設けていた（特許文献１）。
【０００３】
【特許文献１】
特開２００１−２７１５０３号公報（［０００７］−［００１８］，図１−図１４）
【０００４】
【発明が解決しようとする課題】
しかしながら、上記従来の小規模な建築物は、小売店舗（１０ｍ２以下の床面積）として利用できる程度であったため、このような小規模のものでは、ビルの駐車場や屋上等の広いスペースを有効に利用することができなかった。
【０００５】
本発明は、以上のような課題に鑑み、容積率の換算の対象とならず、駐車場やビルなどの屋上等の空いているスペースを有効に活用するのに最適な建築物を提供する。
【０００６】
【課題を解決するための手段】
上記課題を解決するために請求項１に記載の建築物は、床部と、この床部の周りに立設された複数の側壁とにより形成され、屋根が開口された建築物であって、前記開口に展開あるいは折畳み可能な傘型の覆い体を配置し、この覆い体の展開あるいは折畳みにより、前記開口が閉塞あるいは開放されるようにしたことを特徴とする。ここで、傘型の覆い体とは、例えば、傘のように開閉することができる骨組みと、これに張設された布地とを有したものであり、布地としては、木綿、絹、麻等の天然繊維、ポリエステルやアクリル樹脂等の化学繊維又はこれらの混合繊維による織物布、又は不織布等が用いられる。
【０００７】
請求項１に記載の建築物によれば、床部と、この床部の周りに立設された複数の側壁とにより形成され、屋根が開口されているとともに、開口に配置された傘型の覆い体の展開あるいは折畳みにより、開口が閉塞あるいは開放されるようになっているので、傘型の覆い体を展開した状態とすることにより、覆い体を屋根として機能させることができる。また、覆い体を折り畳んだ状態とすることにより、開口が開放され、屋根としての機能を終了させることができ、屋根（天井）を開口させることができる。
【０００８】
すなわち、この建築物は、普段は屋根（天井）が開口しており、必要に応じて、布地による覆い体で開口を閉塞して屋根として用いることができるという簡易な構造となっているので、建築基準法における容積率を算出する際の床面積の換算の対象とはならないものとなる。
したがって、駐車場やビルの屋上等の空いているスペースにも問題なく建築することができ、これらのスペースを有効に利用することができるようになる。
【０００９】
なお、この建築物は、建築基準法における容積率を算出する際の床面積の換算の対象とはならないので、スプリンクラーなどの消防設備を設けることなく建設することができる。したがって、安価に建てられるという利点が得られる。
また、傘型の覆い体を折り畳んだ状態とすることにより、屋根が開口されるので、この開口を通じて光（太陽光）を取り入れることができ、採光性に優れているという利点も得られる。
さらに、覆い体が明度の低い色で彩色されている場合には、遮光性をもたせたものとすることができる。また、逆に覆い体が透明な素材や明度の高い色で彩色されている場合には、採光性に優れた屋根として機能させることができる。
【００１０】
請求項２に記載の建築物は、請求項１に記載の建築物において、前記傘型の覆い体が展開された状態で、その周縁部の下方には、前記覆い体を伝わって流れてきた雨水が流れ込む樋が設けられていることを特徴とする。
【００１１】
請求項２に記載の建築物によれば、覆い体が展開されて、屋根として機能しているときには、覆い体を伝わって流れてきた雨水が、覆い体の周縁部に設けられた樋に対して流れ込むこととなり、雨水等が建物内に浸入することが防止される。
したがって、傘型の覆い体を、排水性に優れた屋根として機能させることができ、雨天時においても、建物を利用することができる。
【００１２】
請求項３に記載の建築物は、請求項２に記載の建築物において、前記傘型の覆い体の前記周縁部には、垂下部が設けられており、この垂下部は、前記傘型の覆い体が展開された状態で、前記樋の溝内に入り込むことを特徴とする。
【００１３】
請求項３に記載の建築物によれば、垂下部が傘型の覆い体が展開された状態で、樋の溝内に入り込むようになっているので、覆い体を伝わって流れてきた雨水が、覆い体の周縁部に設けられた樋に対して確実に流れ込むこととなり、雨水等が建物内に浸入するのをより一層確実に防止することができる。したがって、より一層排水性に優れた屋根として機能させることができる。
【００１４】
【発明の実施の形態】
以下、添付図面を参照して、本発明の実施の形態を詳細に説明する。なお、説明において、同一要素には同一の符号を用い、重複する説明は省略する。
【００１５】
図１は、本発明に係る建築物の一実施の形態に係る建築物を建物内の長手方向から見たときの斜視図（一部省略）、図２は、同じく骨組みを説明するための模式図、図３は、屋根となる覆い体の構造を示した斜視図である。
本発明に係る建築物は、図１に示すように、例えば、各種催し物会場やパーティ会場等として利用されるのに適した簡易な建物であり、床部１０の周りに側壁２０が立設され、屋根（天井）３０が開口された構造となっている。そして、屋根３０の開口部３１には、展開あるいは折畳み可能な傘型の覆い体５０が配置され（図１においては、手前の二つのみ折り畳まれた状態を図示。）、この覆い体５０が展開された状態とされることにより、覆い体５０が屋根３０として機能するように構成されている。
【００１６】
本実施の形態では、ビルの屋上の空いているスペースを利用して建設される場合を例にとって説明する。なお、建築物は、ビルの屋上の他、駐車場、ビルに関連した屋外スペース、その他の一般地やイベント会場等、種々の場所において建設することができる。
【００１７】
本実施形態の建築物は、概略次のようにして建てられる。なお、ビルの屋上の図示しないスラブ（コンクリート構造物）の上面には、予め、防水層が設けられており、建築物は、このような防水層による防水が成立している屋上に対して建てられるものとして説明する。
まず、屋上の所定位置に図示しない基礎（土台）を設け、基礎の形成後、床板１０ａ（図１参照）を図示しない基礎梁に渡した根太に固定して床部１０を設ける。これとともに、図２に示すように、鉄骨等による柱１１，１２を建てる。そして、前記柱１１，１２に大梁１３，１４を渡して固定し、予め、工場等において形成された、側壁２０としてのパネル２１を、図示しない基礎梁に固定して立設した立枠を用いて固定する。各パネル２１は、その上端部２１ａが、平面視八角形に組まれた上部枠２２によりそれぞれ固定される。各上部枠２２は、前記大梁１３，１４にそれぞれ固定される。これにより、図２に示すような概略構造の建築物が建てられる。
【００１８】
次に、図３に示すように、前記開口部３１の周縁３１ａを高く立設（立設枠４１）して、その上部に樋４０を設けるとともに、展開あるいは折畳み可能な傘型の覆い体５０を開口部３１に配置する。樋４０には、覆い体５０を伝わって流れてきた雨水が流れ込むように構成されている。
樋４０は、図４にも示すように、前記上部枠２２に立設された、平面視略八角形の立設枠４１の上部に周溝４２を形成することにより設けられる。立設枠４１は、その上部が、前記周溝４２を形成している外壁４３に対して内壁４４が低く形成されており、後述する覆い体５０が展開された状態で、覆い体５０を構成しているシート５５の周縁部５５ａより垂下された垂下部５６の下端部５６ａが、前記内壁４４を内側から乗り越えるかたちで周溝４２内に配置されるようになっている。
【００１９】
このような樋４０は、図５（ａ）に示すように、全ての開口部３１の周縁３１ａに対して設けられており、また、図５（ｂ）にも示すように、建物の幅方向（図５（ｂ）の紙面上においては左右方向）に隣接している隣接部４５において、各周溝４２が部分的に連通したものとなっている。さらに、符号Ａで示した覆い体５０は、符号Ｂで示した覆い体５０よりも高位置となっており、これにより、符号Ａ側の樋４０も符号Ｂ側の樋４０に対して高位置となっており、図５（ａ）に示すように、樋４０を通じて流れる水は、高位置にある樋４０（符号Ａ）から前記各隣接部４５を通じて、低位置にある樋４０（符号Ｂ）に流れるように構成されている。低位置にある樋４０（符号Ｂ）に流れた水は、排出管４６を通じて排出される。
なお、図５（ｂ）に示すように、建物の天井Ｃは、前記符号Ａ側から符号Ｂ側に向けて下り傾斜状に形成されている。
【００２０】
覆い体５０は、図４に示すように、支柱５１と、リング５２と、屋根骨５３と、支持骨５４と、シート５５とを備えている。
支柱５１は、図１，図３にも示すように、開口部３１内に渡されて設けられた小梁３２ａ，３２ｂの交差する部位に支持されて、鉛直に立設されている。支柱５１の上端部５１ａには、図３，図４に示すように、キャップ５１ｂが被せられており、このキャップ５１ｂに一端部が取り付けられた支持体５１ｃが放射状に配置されて、その他端部が、前記立設枠４１の外壁４３の上端部に固定されている。本実施形態では、支持体５１ｃは、八本設けられている。
リング５２は、図４に示すように、前記支柱５１に緩く外嵌されており、支柱５１に沿って上下動可能に設けられている。
屋根骨５３は、ある程度の弾力性を備えており、支柱５１の上端部の図示しない連結部に一端が軸着されて放射状に設けられている。本実施形態では、屋根骨５３は、八本設けられている。
支持骨５４は、その上端部５４ａが屋根骨５３の中間部５３ａに軸着されるとともに、その下端部５４ｂが前記リング５２に対して軸着されている。したがって、リング５２を支柱５１に沿って上動させることにより、各支持骨５４を介して各屋根骨５３が放射状に開き、また、リング５２を支柱５１に沿って下動させることにより、各支持骨５４を介して屋根骨５３が閉じる。
シート５５は、展開された状態で平面視八角形に形成されており、屋根骨５３の上面を被覆する状態で屋根骨５３にくくり付けられている。シート５５は、前記のように、その周縁部５５ａに垂下部５６を有している。本実施の形態では、シート５５は、防水性や遮光性を有する合成樹脂布材等の材料で形成し、建物の内装色に合わせて違和感の生じ難い色に彩色されたものを用いている。また、展開したときには、展張して雨水の流れやすい曲面または平面の緊張した形状となるように形成されている。
【００２１】
本実施形態では、覆い体５０の展開あるいは折畳みは、図示しない複数のワイヤー等によるスライド操作によって、前記リング５２が上下動されることにより行われるようになっている。なお、スプリングや電動モータ等を用いることにより、覆い体５０の展開あるいは折畳みが行われるように構成しても良い。
なお、図１に示すように、屋根３０（天井）の中央部分３５は、化粧板等で覆われ、大梁１３，１４が露出しないように設けられている。
【００２２】
このような建築物において、建物内はすべて防水処理が施されたものとなっている。すなわち、前記床部１０、側壁２０、および屋根３０（天井）の室内側露出面には、適度の粘性を有するコーキング剤等の種々の防水剤や合成ゴム系、合成樹脂系などの樹脂防水剤が、噴射等によって防水塗膜が形成されるかたちで塗布されている。樹脂防水剤としては、ウレタン樹脂、アクリル樹脂、エポキシ樹脂、シリコン樹脂等の公知のものが採用される。また、側壁２０のパネル２１は工場等による製造段階において防水処理を施すようにしても良いし、内装面を防水板で構成しても良い。
なお、本実施形態では、前記防水処理に加えて、建物内に設備されるランプ６０や扇風機等の電気製品、さらには、椅子７０やテーブル等の家具、さらには、調度品等に至るまで、全て防水処理が施されたものを用いている。
【００２３】
このような建築物によれば、床部１０と、この床部１０の周りに立設された複数の側壁２０とにより形成され、屋根３０が開口された構造となっているとともに、この開口部３１に配置された覆い体５０の展開あるいは折畳みにより、開口部３１が閉塞あるいは開放されるようになっているので、覆い体５０を展開した状態とすることにより、覆い体５０を屋根３０として機能させることができる。また、覆い体５０を折り畳んだ状態とすることにより、開口部３１が開放され、屋根３０としての機能を終了させることができ、屋根３０（天井）を開口することができる。
【００２４】
すなわち、この建築物は、普段は屋根３０（天井）が開口しており、必要に応じて、覆い体５０で開口部３１を閉塞して屋根３０として用いることができるという簡易な構造となっているので、建築基準法における容積率を算出する際の床面積の換算の対象とはならないものとなる。
したがって、駐車場やビルの屋上等の空いているスペースにも問題なく建築することができ、これらのスペースを有効に利用することができるようになる。
なお、この建築物は、建築基準法における容積率を算出する際の床面積の換算の対象とはならないので、スプリンクラーなどの消防設備を設けることなく建設することができる。したがって、安価に建てられるという利点が得られる。
また、覆い体５０を折り畳んだ状態とすることにより、屋根３０が開口するので、この開口部３１を通じて光（太陽光）を取り入れることができ、採光性に優れているという利点も得られる。
さらに、覆い体５０が、例えば、明度の低い色で彩色されている場合には、遮光性をもたせたものとすることができる。また、逆に覆い体が、透明な素材や明度の高い色で彩色されている場合には、採光性に優れた屋根として機能させることができる。
【００２５】
覆い体５０が展開された状態で、その周縁部５５ａの下方には、覆い体５０のシート５５を伝わって流れてきた雨水が流れ込む樋４０が設けられているので、覆い体５０が展開されて、屋根３０として機能しているときには、雨水等が建物内に浸入することが防止される。
したがって、覆い体５０を、排水性に優れた屋根３０として機能させることができ、雨天時においても、建物を利用することができる。
【００２６】
さらに、覆い体５０の周縁部５５ａには、垂下部５６が設けられており、この垂下部５６は、覆い体５０が展開された状態で、樋４０の溝４２内に入り込むようになっているので、シート５５を伝わって流れてきた雨水が、樋４０に対して確実に流れ込むこととなり、雨水等が建物内に浸入するのがより一層確実に防止される。したがって、より一層排水性に優れた屋根３０として機能させることができる。
【００２７】
また、建物内面全てに防水処理が施されているので、仮に、強風を伴うような雨水が開口３１を通じて建物内に浸入するような事態が生じたとしても、雨水が側壁２０等に浸み込まず、漏水により建物が傷むのを防止することができる。
また、防水処理が施されているので、台風などの強風を伴うような強い雨水が吹き付けてくるようなときには、覆い体５０を保護する観点から、覆い体５０を折り畳んで、開口３１を積極的に開放するような使用態様を採ることもできる。これにより、覆い体５０が、強風を受けて破損する等の事態を回避することができるようになる。
なお、吹き込んできた雨水は、前記のように側壁２０等に染み込まず、側壁２０等が傷むということもない。
【００２８】
以上、本発明に係る建築物の実施形態について説明したが、本発明はこれに限定されず、発明の主旨に応じた適宜の変更実施が可能であることはいうまでもない。例えば、覆い体５０は、平面視八角形のものに限られず、六角形、四角形、あるいは円形のものを採用しても良い。また、覆い体５０の大きさや設置数は、適宜とすることができる。
【００２９】
【発明の効果】
以上のように、本発明に係る建築物によれば、容積率の換算の対象とならず、駐車場やビルなどの屋上等の空いているスペースを有効に活用するのに最適である。
【図面の簡単な説明】
【図１】本発明に係る建築物の一実施の形態に係る建築物を建物内の長手方向から見たときの斜視図（一部省略）である。
【図２】同じく骨組みを説明するための模式図である。
【図３】屋根となる覆い体の構造を示した斜視図である。
【図４】図３のａ−ａ断面図である。
【図５】（ａ）は、樋を説明するための模式図、（ｂ）は、同じく建物の縦断面図（一部省略）である。
【符号の説明】
１０    床部
１０ａ    床板
１１，１２    柱
１３，１４    大梁
２０    側壁
２１    パネル
３０    屋根
３１    開口
３２ａ，３２ｂ    小梁
４０    樋
４１    立設枠
４２    周溝
５０    覆い体
５１    支柱
５２    リング
５３    屋根骨
５４    支持骨
５５    シート
５５ａ    周縁部
５６    垂下部
６０    ランプ
７０    椅子
【図１】
2004316188.tif 000003
【図２】
2004316188.tif 000004
【図３】
2004316188.tif 000005
【図４】
2004316188.tif 000006
【図５】
2004316188.tif 000007